(57)【要約】【課題】同軸ケーブル用コネクタについて、組立時の圧着工程において、シェル４のレセプタクル嵌合部５が所定の位置に納まり、浮きや偏心、変形など異常の有無を確認できるようにする。【解決手段】圧着フランジ部５を設ける側の折曲部７ｂより一側のシェル４に他側のシェル４の状態を確認する貫通孔（確認窓）１０を備える。加えて、レセプタクル嵌合部５を設ける側の折曲部７ｂより一側のシェル４に突起９を備え、シェル４を加締め状態に折曲げた時、突起９と貫通孔１０が嵌合する。加えて、貫通孔１０を圧着フランジ部８に備え、突起９をケーブルガイド部６に備える。加えて、左右一対のケーブルガイド部６の先端側にそれぞれ突起９を備え、嵌合孔１０は各突起９に対応して圧着フランジ部８に左右に２つ並べて備える。【選択図】図１
2005116249.tif 000002
【特許請求の範囲】
【請求項１】
同軸ケーブルの中心導体を接続するコンタクトと、コンタクトを内装する絶縁ボディと、板金製のシェルとを備え、シェルは、絶縁ボディを収容するレセプタクル嵌合部と、レセプタクル嵌合部から延出されてこの底面に折曲げられる蓋部と、レセプタクル嵌合部から蓋部を介してケーブル引出方向に延出されて同軸ケーブに加締められる圧着フランジ部と、レセプタクル嵌合部からケーブル引出方向に直接延出されて同軸ケーブルの外周導体と接触した状態で圧着フランジ部の内側に加締められるケーブルガイド部とを備える同軸ケーブル用コネクタにおいて、圧着フランジ部を設ける側の折曲部より一側のシェルに他側のシェルの状態を確認する貫通孔を備えたことを特徴とする同軸ケーブル用コネクタ。
【請求項２】
レセプタクル嵌合部を設ける側の折曲部より一側のシェルに突起を備え、シェルを加締め状態に折曲げた時、突起と貫通孔が嵌合する請求項１に記載の同軸ケーブル用コネクタ。
【請求項３】
貫通孔を圧着フランジ部に備え、突起をケーブルガイド部に備える請求項２に記載の同軸ケーブル用コネクタ。
【請求項４】
左右一対のケーブルガイド部の先端側にそれぞれ突起を備え、嵌合孔は各突起に対応して圧着フランジ部に左右に２つ並べて備える請求項３に記載の同軸ケーブル用コネクタ。
【発明の詳細な説明】
【技術分野】
【０００１】
本発明は、例えば、各種電子機器内での基板と同軸ケーブルとの接続に用いられる同軸ケーブル用コネクタに関する。
【背景技術】
【０００２】
携帯電話機など通信機器の薄型・軽量化及び高密度化に対応し、同軸ケーブルコネクタについても、プリント配線基板に実装されるレセプタクルとの嵌合高さを低く抑えると共に、レセプタクルの実装面積も小さくなる低背小型の同軸ケーブルコネクタがある。
【０００３】
このコネクタは、同軸ケーブルの中心導体を接続する銅合金など金属製コンタクト（内部コンタクト）と、コンタクトを包囲するようにこれを内装する略円筒形の樹脂製絶縁ボディと、外部コンタクトである板金製のシェルとで構成され、シェルは、絶縁ボディを収容する略円筒形のレセプタクル嵌合部と、レセプタクル嵌合部から延出されてこの底面に折曲げられる蓋部と、レセプタクル嵌合部から蓋部を介してケーブル引出方向に延出されて同軸ケーブルに加締められる圧着フランジ部と、レセプタクル嵌合部からケーブル引出方向に直接延出されて同軸ケーブルの外周導体と接触した状態で圧着フランジ部の内側に加締められるケーブルガイド部とを備え、絶縁ボディを介して内部コンタクトが中心（同心）位置に装着されたレセプタクル嵌合部（外部コンタクト）を同軸ケーブルの端部に加締め固定している。
【０００４】
また組立前のシェルは、レセプタクル嵌合部のレセプタクル挿入口が下向きになる姿勢で、そのレセプタクル嵌合部の周壁底縁から上向きに一連の蓋部と圧着フランジ部が延出される一方、ケーブルガイド部がレセプタクル嵌合部の蓋部連接部分（折曲部）と反対側から横向きに延出された半展開状態に形成されている。そして、そのシェルのレセプタクル嵌合部に底側から絶縁ボディを挿入固定し、同軸ケーブルの中心導体が半田接続されたコンタクトを絶縁ボディに挿入固定した状態で、絶縁ボディの底面を蓋部で覆い塞ぐように一連の蓋部と圧着フランジ部を折曲げ、レセプタクル嵌合部から圧着フランジ部とケーブルガイド部とをケーブル引出方向に延出させ、この後、同軸ケーブルの外周導体にケーブルガイド部を接触させた状態でこの外側から圧着フランジ部を加締めることによって、上記コネクタが組立てられている。
【特許文献１】特開平７−１０６００２号公報
【特許文献２】特開２００１−４３９３９号公報
【発明の開示】
【発明が解決しようとする課題】
【０００５】
上記組立方法における圧着（加締め）工程においては、絶縁ボディの装着されたレセプタクル嵌合部を設ける側の折曲部より一側のシェルの状態が、圧着フランジ部を設ける側の折曲部より他側のシェルによって隠されて確認できないため、シェルの折曲不良によってレセプタクル嵌合部が蓋部から浮いた状態であったり、偏心、変形しているままの状態で、加締められてレセプタクルとの正常な嵌合が行えない不良品を発生させるおそれがある。
【課題を解決するための手段】
【０００６】
本発明の同軸ケーブル用コネクタは、この組立時の圧着工程において、シェルのレセプタクル嵌合部が所定の位置に納まり、浮きや偏心、変形など異常の有無を確認できるようにするため、同軸ケーブルの中心導体を接続するコンタクトと、コンタクトを内装する絶縁ボディと、板金製のシェルとを備え、シェルは、絶縁ボディを収容するレセプタクル嵌合部と、レセプタクル嵌合部から延出されてこの底面に折曲げられる蓋部と、レセプタクル嵌合部から蓋部を介してケーブル引出方向に延出されて同軸ケーブに加締められる圧着フランジ部と、レセプタクル嵌合部からケーブル引出方向に直接延出されて同軸ケーブルの外周導体と接触した状態で圧着フランジ部の内側に加締められるケーブルガイド部とを備える同軸ケーブル用コネクタにおいて、圧着フランジ部を設ける側の折曲部より一側のシェルに他側のシェルの状態を確認する貫通孔（確認窓）を備えたことを特徴としている。
【０００７】
また、本発明の同軸ケーブルコネクタは、以下の構成を付加採用することが望ましい。
第１に、貫通孔の数については、１つでも良いが、レセプタクル嵌合部を設ける側のシェルの状態、即ち、レセプタクル嵌合部の状態を、適確に確認しその精度を高めるためには複数が望ましい。
第２に、貫通孔を通してレセプタクル嵌合部の状態を直接確認することもできるが、レセプタクル嵌合部を設ける側の折曲部より一側のシェルに突起を備え、シェルを加締め状態に折曲げた時、突起と貫通孔が嵌合する構成を採用することによって、突起がインジケーターの役目を果たし、貫通孔に対する突起の嵌合位置や嵌合深さなど、突起の嵌合状態を観察することによって、レセプタクル嵌合部の状態がより適確に精度良く、かつ、容易に確認できるため望ましい。
しかも、突起が貫通孔に嵌合した状態、即ち、これら突起と貫通孔によって、レセプタクル嵌合部を設ける側の折曲部より一側のシェルを、圧着フランジ部を設ける側の折曲部より他側のシェルに位置決めした状態で、圧着フランジ部を同軸ケーブに加締めるため、この加締め時に、レセプタクル嵌合部がケーブル引出方向やその反対方向、ケーブル引出方向と直交する方向に位置ずれしたり、偏心、変形するのを未然に防ぐことができるため望ましい。
第３に、蓋部に貫通孔を、またレセプタクル嵌合部に突起を備えても良いが、貫通孔を圧着フランジ部に備え、突起をケーブルガイド部に備える構成を採用することによって、シェルの折曲部から離れ（遠く）てレセプタクル嵌合部の状態が顕著に表れる位置で、そのレセプタクル嵌合部の状態を確認でき、その確認がさらに適確に精度良く、かつ、容易に行えるため望ましい。
しかも、貫通孔と突起がシェルの折曲部から離れた位置で嵌合し、またその嵌合によって圧着フランジ部に係合された状態のケーブルガイド部を、その圧着フランジ部の内側に加締めるため、レセプタクル嵌合部の位置ずれや偏心、変形を効果的に抑えることができるため望ましい。
第４に、左右一対のケーブルガイド部の先端側にそれぞれ突起を備え、嵌合孔は各突起に対応して圧着フランジ部に左右に２つ並べて備える構成を採用することによって、上記の付加構成による全ての作用効果を得ることができるため望ましい。
しかも、左と右の突起の嵌合状態を比べてその差を観察することによって、レセプタクル嵌合部の状態確認がさらに適確に精度良く、かつ、容易に行えるため望ましい。
【発明の効果】
【０００８】
本発明の同軸ケーブル用コネクタによれば、圧着（加締め）工程を行う時のレセプタクル嵌合部を設ける側の折曲部より一側のシェルの状態、即ち、レセプタクル嵌合部の状態を貫通孔から確認し、異常がないことを確認した上でその工程を実行できるため、シェルの折曲不良などによる不良品の発生をほとんどなくすことができる顕著な効果を奏する。
【発明を実施するための最良の形態】
【０００９】
以下、本発明の最良の実施形態を図面に基づいて説明する。図１は本実施形態の同軸ケーブル用コネクタを組立後の裏返し状態で示す全体斜視図、図２はレセプタクル挿入口を上向きにした状態の組立途中のコネクタの半断面斜視図であり、図中１は同軸ケーブルで、ケーブル中心に中心導体１ａを有し、その外周に内部絶縁被覆層１ｂを形成すると共に、内部絶縁被覆層１ｂの外周に外周導体１ｃを有し、その外周を外部絶縁被覆層であるケーブル表面の外被１ｄで被覆するもので、コネクタを同軸ケーブル１の端部に固定するに当たって、同軸ケーブル１の端部から中心導体１ａ、次いで外周導体１ｃをそれぞれ所定長さ露出させるように皮剥きされている。
【００１０】
コネクタは、同軸ケーブル１の中心導体１ａの端部を半田接続する銅合金など導電性に優れた金属製コンタクト（コネクタ２の内部コンタクト）２と、そのコンタクト２を包囲するように中心（同心）位置に内装し、かつ、同軸ケーブル１を外周面から半径方向に引出す略円筒形の樹脂製絶縁ボディ３と、コネクタの外部コンタクトである板金製シェル４とで構成される。
【００１１】
シェル４は、導電性に優れた薄い金属板材を所定の形状に打抜き、それを曲げ加工したもので、略円筒形のレセプタクル嵌合部５、左右一対のケーブルガイド部６、蓋部７、圧着フランジ部８を有している。このレセプタクル嵌合部５とケーブルガイド部６は、帯状板片の中央部から一側の基部と他側の基部を略半円形状に湾曲させた状態で対向させ、残りの端部を湾曲部の端部から一方向（半径方向）に直線状に延出させて所定の間隔を設けて対向させ、この対向する略半円形状の湾曲部によってレセプタクル嵌合部５の一部を途切れさせた周壁を形成すると共に、所定の間隔を設けて対向する直線部（平行部）によって左右一対のケーブルガイド部６を形成している。これによって、略円筒形のレセプタクル嵌合部５は、略円筒形の絶縁ボディ３を同心位置に収容可能となり、かつ、収容した絶縁ボディ３の外周面から半径方向に引出す同軸ケーブル１を、周壁の途切れ部分から左右のケーブルガイド部６の間を通して半径方向に引出可能となる。また左右のケーブルガイド部６は同軸ケーブル１の外皮１ａを剥いだ部分を左右外側から挟み、同軸ケーブル１の外周導体１ｃと接触可能となる。
【００１２】
他方、蓋部７は、前記レセプタクル嵌合部５のレセプタクル挿入口と反対側の底面開口を覆い塞ぐ平板状に形成され、一側に圧着フランジ部８との幅狭の連設部７ａを有している。圧着フランジ部８は、蓋部７から連設部７ａを経て連続する平坦部８ａと、その平坦部８ａの基端側両側縁から逆ハの字状に立上げる左右一対の基部加締め片８ｂと、平坦部８ａの先端側両側縁から逆ハの字状に立上げる左右一対の端部加締め片８ｃとを有し、蓋部７の一側に一連に形成されている。そして、圧着フランジ部８との連設部７ａと反対側の前記蓋部７の他側には、前記レセプタクル嵌合部５との連設部であり後で折曲げられる折曲予定部７ｂを有し、この折曲予定部７ｂを介して前記レセプタクル嵌合部５の周壁途切れ部と反対側（ケーブル引出方向と反対側）の周壁底縁に一連の蓋部７と圧着フランジ部８を折曲自在に連設している。この一連の蓋部７と圧着フランジ部８とは、図２の実線、図３の仮想線、図４の仮想線に示す、折曲予定部７ｂが伸ばされてレセプタクル嵌合部５の底面及び左右のケーブルガイド部６の底面と垂直な組立前の半展開姿勢から、図１の実線、図３の実線、図４の実線、図５の実線に示す、折曲予定部７ｂで折曲げられてレセプタクル嵌合部５の底面及び左右のケーブルガイド部６の底面に沿う組立姿勢に折曲げられる。この折曲げによって、蓋部７は、絶縁ボディ３を収容したレセプタクル嵌合部５の底面開口を覆い塞ぐことが可能となり、圧着フランジ部８は、この基部の平坦部８ａ及び基部加締め片８ｂが、同軸ケーブル１を間に通し、かつ、外周導体１ｃと接触させる左右のケーブルガイド部６を囲い、同軸ケーブル１に加締めることによって圧着可能となり、端部の平坦部８ａ及び左右の端部加締め片８ｃが、左右のケーブルガイド部６の間から引出される同軸ケーブル１の皮剥きされていない部分を囲い、同軸ケーブル１に加締めることによって圧着可能となる。
【００１３】
上記のように、前記シェル４は、折曲予定部７ｂより一側のシェル４の基部にレセプタクル嵌合部５を、その端部に左右一対のケーブルガイド部６を設け、折曲予定部７ｂより他側のシェル４の基部に蓋部７を、その端部に圧着フランジ部６を設けるもので、圧着フランジ部８を設ける側の折曲予定部７ｂより一側のシェル４に、レセプタクル嵌合部５を設ける側の折曲予定部７ｂより他側のシェル４を状態を確認するための貫通孔（確認窓）１０を備えると共に、レセプタクル嵌合部５を設ける側の折曲予定部７ｂより一側のシェル４に突起９を備え、シェル４を折曲予定部７ｂで加締め状態に折曲げた時、突起９が嵌合する位置に貫通孔１０を備えている。詳しくは、突起９は、圧着フランジ部８の平坦部８ａと接合する左右のケーブルガイド部６の先端部底面からそれぞれ突出形成すると共に、その突出長さを圧着フランジ部８の平坦部８ａの厚み（貫通孔１０の深さ）と略同じ長さに形成する。したがって、貫通孔１０は、圧着フランジ部８の平坦部８ａの基部に左右に２つ並べて備えられている。
【００１４】
そして、前記コンタクト２と絶縁ボディ３、並びにシェル４によって構成される本実施形態の同軸ケーブル用コネクタは、次の要領で組立てられ使用される。
【００１５】
まず、図３及び図４に示す如く、半展開状態のシェル４をレセプタクル嵌合部５のレセプタクル挿入口が下向きになる姿勢に配置する。次いで、シェル４のレセプタクル嵌合部５にこの底側から絶縁ボディを挿入固定し、同軸ケーブル１の中心導体１ａが半田接続されたコンタクト２を絶縁ボディ３に挿入固定し、絶縁ボディ３の外周面から半径方向に引出される同軸ケーブル１を、レセプタクル嵌合部５の周壁の途切れ部分から左右のケーブルガイド部９の間を通してレセプタクル嵌合部５の半径方向外側に引出し、左右のケーブルガイド部９によって同軸ケーブル１の外皮１ａを剥いだ部分を左右外側から挟み、左右のケーブルガイド部９を同軸ケーブル１の外周導体１ｃと接触させる。次いで、一連の蓋部７と圧着フランジ部８を折曲予定部７ｂで図３及び図４の仮想線に示す垂直姿勢から実線に示す水平姿勢に折曲げ、蓋部７によって、絶縁ボディ３を収容したレセプタクル嵌合部５の底面開口を覆い塞ぎ、圧着フランジ部８の基部の平坦部８ａ及び基部加締め片８ｂによって、同軸ケーブル１を間に通し、かつ、外周導体１ｃと接触させる左右のケーブルガイド部６を囲い、圧着フランジ部８の端部の平坦部８ａ及び左右の端部加締め片８ｃによって左右のケーブルガイド部６の間から引出される同軸ケーブル１の皮剥きされていない部分を囲うと同時に、左右のケーブルガイド部６の先端部に備えられた左右の突起９を、圧着フランジ部８の平坦部８ａの基部に左右に２つ並べて備えられた貫通孔１０にそれぞれ嵌合させる。
【００１６】
そして、従来では、このシェル４の折曲げによって、絶縁ボディ３の装着されたレセプタクル嵌合部５及び左右一対のケーブルガイド部６を設ける側の折曲部７ｂより一側のシェル４の上側に、蓋部７と圧着フランジ部８を設けた側の折曲部７ｂより一側のシェル４が重ね合わされ、下側のシェル４が上側のシェル４によって覆い隠されて、下側のシェル４の状態、即ち、絶縁ボディ３の装着されたレセプタクル嵌合部５の状態（レセプタクル嵌合部５が所定の位置に納まり、浮きや偏心、変形など異常の有無）を確認できなかったものが、本発明の特徴構成である前記貫通孔１０によって、加えて貫通孔１０と突起９の嵌合によって適確に精度良く、かつ、容易に確認できるようになっており、この確認は、左右の貫通孔１０に対する突起９のそれぞれの嵌合位置や嵌合深さなど、突起９の嵌合状態を観察し、また左右の突起９の嵌合状態を比べてその差を観察することによって可能である。
【００１７】
上記の確認を行い、レセプタクル嵌合部５が所定の位置に納まり、浮きや偏心、変形など異常が確認された場合には、レセプタクルとの正常な嵌合が行えない不良品となる可能性があるため、適当な処置を施して正常にするか、或いは、撤去する。そして、異常が確認されない正常なものについて、圧着フランジ部８の基部と端部を同軸ケーブル１に加締めて塑性変形させる圧着工程を実行し、図１に示す組立状態にコネクタを組立てるものである。
【００１８】
また、上記の圧着工程において、貫通孔１０と突起９の嵌合によって、絶縁ボディ３の装着されたレセプタクル嵌合部５及び左右一対のケーブルガイド部６を設ける側の折曲部７ｂより一側のシェル４を、蓋部７と圧着フランジ部８を設けた側の折曲部７ｂより一側のシェル４に位置決めする機能を発揮し、加締め時に、絶縁ボディ３の装着されたレセプタクル嵌合部５がケーブル引出方向やその反対方向、ケーブル引出方向と直交する方向に位置ずれしたり、偏心、変形するのを未然に防止している。
【００１９】
而して、本実施形態の組立後の同軸ケーブル用コネクタは、同軸ケーブル１の中心導体１ａを接続するコンタクト２と、コンタクト２を内装する絶縁ボディ３と、板金製のシェル４とを備え、シェル４は、絶縁ボディ４を収容するレセプタクル嵌合部５と、レセプタクル嵌合部５から延出されてこの底面に折曲げられる蓋部７と、レセプタクル嵌合部５から蓋部７を介してケーブル引出方向に延出されて同軸ケーブル１に加締められる圧着フランジ部８と、レセプタクル嵌合部５からケーブル引出方向に直接延出されて同軸ケーブル１の外周導体１ｃと接触した状態で圧着フランジ部８の内側に加締められる左右一対のケーブルガイド部６とを備え、絶縁ボディ３を介してコンタクト３が中心（同心）位置に装着されたレセプタクル嵌合部６を同軸ケーブル１の端部に加締め固定するもので、レセプタクル（図示省略）にレセプタクル嵌合部５を嵌合結合し、そのレセプタクル嵌合部５（外部コンタクト）をレセプタクルの外部コンタクトと接触させて電気的に接続すると共に、コンタクト３（内部コンタクト）をレセプタクルの内部コンタクトと接触させて電気的に接続するように構成されている。
【００２０】
加えて、圧着フランジ部８を設ける側の折曲部７ｂより一側のシェル４に他側のシェル４の状態を確認する貫通孔（確認窓）１０を備えており、圧着（加締め）工程を行う時のレセプタクル嵌合部５を設ける側の折曲部７ｂより一側のシェル４の状態、即ち、レセプタクル嵌合部５の状態を貫通孔１０から確認し、異常がないことを確認した上でその工程を実行し、シェル４の折曲不良などによる不良品の発生をほとんどなくしている。
【００２１】
さらに、複数の貫通孔１０を備えており、レセプタクル嵌合部５の状態を、適確に確認しその精度を高めている。
また、レセプタクル嵌合部５を設ける側の折曲部７ｂより一側のシェル４に突起９を備え、シェル４を加締め状態に折曲げた時、突起９と貫通孔１０が嵌合する構成を採用しており、突起９がインジケーターの役目を果たし、貫通孔１０に対する突起９の嵌合位置や嵌合深さなど、突起の嵌合状態を観察することによって、レセプタクル嵌合部５の状態をより適確に精度良く、かつ、容易に確認できるようにしている。
しかも、突起９が貫通孔１０に嵌合した状態、即ち、これら突起９と貫通孔１０によって、レセプタクル嵌合部５を設ける側の折曲部７ｂより一側のシェル４を、圧着フランジ部８を設ける側の折曲部７ｂより他側のシェル４に位置決めした状態で、圧着フランジ部８を同軸ケーブ１に加締め、この加締め時に、レセプタクル嵌合部５がケーブル引出方向やその反対方向、ケーブル引出方向と直交する方向に位置ずれしたり、偏心、変形するのを未然に防いでいる。
また、貫通孔１０を圧着フランジ部８に備え、突起９をケーブルガイド部６に備える構成を採用しており、シェル４の折曲部７ｂから離れ（遠く）てレセプタクル嵌合部５の状態が顕著に表れる位置で、そのレセプタクル嵌合部５の状態を確認し、その確認をさらに適確に精度良く、かつ、容易に行えるようにしている。
しかも、貫通孔１０と突起９がシェル４の折曲部７ｂから離れた位置で嵌合し、またその嵌合によって圧着フランジ部８に係合された状態のケーブルガイド部６を、その圧着フランジ部８の内側に加締め、レセプタクル嵌合部５の位置ずれや偏心、変形を効果的に抑えるようにしている。
最後に、左右一対のケーブルガイド部６の先端側にそれぞれ突起９を備え、嵌合孔１０は各突起９に対応して圧着フランジ部８に左右に２つ並べて備える構成を採用しており、上記の構成による全ての作用効果を得ている。
しかも、左と右の突起９の嵌合状態を比べてその差を観察することによって、レセプタクル嵌合部５の状態確認をさらに適確に精度良く、かつ、容易に行えるようにしている。
【図面の簡単な説明】
【００２２】
【図１】本実施形態の同軸ケーブル用コネクタを組立後の裏返し状態で示す全体斜視図である。
【図２】レセプタクル挿入口を上向きにした状態の組立途中のコネクタの半断面斜視図である。
【図３】シェルの組立前の状態と組立後の状態を示す断面側面図である。
【図４】図３の断面正面図である。
【図５】シェルの組立後の状態を示す底面図である。
【符号の説明】
【００２３】
１    同軸ケーブル
１ａ  中心導体    
１ｃ  外周導体    
２    コンタクト（内部コンタクト）
３    絶縁ボディ
４    シェル（外部コンタクト）
５    レセプタクル嵌合部
６    ケーブルガイド部
７    蓋部
８    圧着フランジ部
９    突起
１０  貫通孔（確認窓）
【図１】
2005116249.tif 000003
【図２】
2005116249.tif 000004
【図３】
2005116249.tif 000005
【図４】
2005116249.tif 000006
【図５】
2005116249.tif 000007